(57)【要約】【課題】従動軸の不安定な振動を低減できるギアド圧縮機を提供する。【解決手段】本発明によるギアド圧縮機１は、従動軸５を回転可能に支持する軸受２０と、有する増速ギア機構２と、従動軸５に固定されるインペラ８，９と、備える。軸受２０は、円周方向に設けられる複数の軸受パッド２１と、複数の軸受パッド２１のそれぞれを支持するピボット２５と、を有する。軸受２０が受ける従動軸５の自重による荷重Ｆ１と、主動ギア４と従動ギア６の接触によるギア接線力Ｆ２と、の合力Ｆの向きと、ピボット２５による軸受パッド２１の支持点との位置関係が一定である、ことを特徴とする。【選択図】図２
2017137768.tif 000002
【特許請求の範囲】
【請求項１】
駆動源により回転駆動される主動軸と、前記主動軸と一体となって回転駆動される主動ギアと、前記主動ギアに噛み合い、前記主動軸の回転に伴って増速回転される従動ギアと、前記従動ギアと一体となって回転駆動される従動軸と、前記従動軸を回転可能に支持するティルティングパッド軸受と、有する増速ギア機構と、
前記従動軸に固定されるインペラと、備え、
前記ティルティングパッド軸受は、
円周方向に設けられる複数の軸受パッドと、
複数の前記軸受パッドのそれぞれを支持するピボットと、を有し、
前記ティルティングパッド軸受が受ける前記従動軸の自重による荷重Ｆ１と前記主動ギアと前記従動ギアの接触によるギア接線力Ｆ２の合力Ｆの作用線と、前記ピボットによる前記軸受パッドの支持点と、の位置関係が一定である、
ことを特徴とするギアド圧縮機。
【請求項２】
前記ギア接線力Ｆ２が変化するのに応じて、前記ピボットによる前記軸受パッドの支持点を移動させることで、前記合力Ｆの前記作用線と前記ピボットによる前記軸受パッドの支持点との位置関係を一定にする、
請求項１に記載のギアド圧縮機。
【請求項３】
回転可能に支持されている前記ティルティングパッド軸受を回転させる軸受回転部と、
前記主動ギアと前記従動ギアの間に生じる前記ギア接線力Ｆ２を求め、求められた前記ギア接線力Ｆ２に応じて、前記軸受回転部を介して前記ティルティングパッド軸受を回転させる制御部と、
を備える請求項２に記載のギアド圧縮機。
【請求項４】
前記制御部は、
前記主動軸に生じるトルク値Ｔに基づいて前記ギア接線力Ｆ２を算出して求める、
請求項３に記載のギアド圧縮機。
【請求項５】
前記軸受回転部は、ギアの回転により前記ティルティングパッド軸受を回転させる、
請求項３又は請求項４に記載のギアド圧縮機。
【請求項６】
前記ギア接線力Ｆ２の向きを鉛直方向の下向きに一定にすることで、前記合力Ｆの前記作用線と前記ピボットによる前記軸受パッドの支持点との位置関係を一定にする、
請求項１に記載のギアド圧縮機。
【請求項７】
前記合力Ｆの前記作用線が前記ピボットによる前記軸受パッドの支持点を通る、
請求項１〜請求項６のいずれか一項に記載のギアド圧縮機。
【発明の詳細な説明】
【技術分野】
【０００１】
本発明は、安定した運転を実現できるギアド圧縮機に関するものである。
【背景技術】
【０００２】
ギアを用いて主動軸の駆動力を増速して従動軸に伝えられるギアド圧縮機においては、作動流体を圧縮するインペラのついた従動軸を回転させる際に、ギアの圧力角の方向に荷重が発生する特徴を有する。以下、この荷重をギア接線力と称する。そのために、従動軸を支持する軸受は、従動軸の自重による荷重とギア接線力の合力を受け持たなければならない。ところが、ギアド圧縮機の運転中に運転条件が変更する、つまり主動軸の駆動力が変更すると、ギア接線力の大きさが変化する。従動軸の自重の向きは鉛直方向に沿って一定であるから、軸受に作用する合力の向き及び大きさはギア接線力の変化にしたがって変化してしまい一定とならない。
【０００３】
ギアド圧縮機において、従動軸を支持する軸受として主にティルティングパッド軸受が用いられている。この軸受は、ピボットで支持された複数の軸受パッドを有しており、ピボットによるパッドの支持点が荷重方向と一致するように設計すれば、軸受剛性，減衰比等について最大の性能が得られる。
ところが、前述したように、ギアド圧縮機においては、従動軸を支持する軸受が受け持つ合力が変化するために、設計上で最も運転されることが想定される運転パターン、典型的には定格運転状態に併せてピボットによる軸受パッドの支持点の位置を決定している。したがって、それ以外の運転点では、軸受剛性、減衰比等の軸受性能が低下することにより従動軸の動作が不安定になり、不安定振動が発生する。
【０００４】
特許文献１は、不安定振動を防止できるティルティングパッド軸受を備えた軸流タービンを開示する。しかし、特許文献１は、作動流体の影響によりティルティングパッド軸受に作用する荷重方向が変化することによる不安定振動を前提としており、ギア接線力の変化に基づくギアド圧縮機の従動軸の不安定振動に示唆を与えない。
【先行技術文献】
【特許文献】
【０００５】
【特許文献１】特開２０１５−４８７０７号公報
【発明の概要】
【発明が解決しようとする課題】
【０００６】
以上より、本発明は、従動軸の不安定な振動を低減できるギアド圧縮機を提供することを目的とする。
【課題を解決するための手段】
【０００７】
本発明のギアド圧縮機は、駆動源により回転駆動される主動軸と、主動軸と一体となって回転駆動される主動ギアと、主動ギアに噛み合い、主動軸の回転に伴って増速回転される従動ギアと、従動ギアと一体となって回転駆動される従動軸と、従動軸を回転可能に支持するティルティングパッド軸受と、有する増速ギア機構と、従動軸に固定されるインペラと、備える。本発明におけるティルティングパッド軸受は、円周方向に設けられる複数の軸受パッドと、複数の軸受パッドのそれぞれを支持するピボットと、を有し、ティルティングパッド軸受が受ける従動軸の自重による荷重Ｆ１と主動ギアと従動ギアの接触によるギア接線力Ｆ２の合力Ｆの作用線と、ピボットによる軸受パッドの支持点と、の位置関係が一定である、ことを特徴とする。
本発明のギアド圧縮機によれば、荷重Ｆ１とギア接線力Ｆ２との合力Ｆの作用線と、ピボットによる軸受パッドの支持点と、の位置関係が一定であるから、従動軸の不安定な振動を低減できる。
【０００８】
本発明におけるギアド圧縮機において、ピボットによる軸受パッドの支持点との位置関係を一定にする手段として、二つの形態を含む。
一つ目の形態は、ギア接線力Ｆ２が変化するのに応じて、ピボットによる軸受パッドの支持点を移動させることで、合力Ｆの作用線とピボットによる軸受パッドの支持点との位置関係を一定にする、と言うものである。
二つ目の形態、ギア接線力Ｆ２の向きを鉛直方向の下向きに一定にすることで、ギア接線力Ｆ２の作用線と、ピボットによる軸受パッドの支持点との位置関係を一定にする、というものである。
本発明における位置関係が一定とは、ギアド圧縮機を運転している間に、作用線と支持点との位置関係が一定に維持されることを意味する。
この一定の位置関係としては、合力Ｆの作用線がピボットによる軸受パッドの支持点を通ることが最も好ましい。
【０００９】
一つ目の形態は、ティルティングパッド軸受を回転させることにより実現できる。具体的には、回転可能に支持されているティルティングパッド軸受を回転させる軸受回転部と、主動ギアと従動ギアの間に生じるギア接線力Ｆ２を求め、求められたギア接線力Ｆ２に応じて、軸受回転部を介してティルティングパッド軸受を回転させる制御部と、を備えることができる。
この場合、制御部は、主動軸に生じるトルク値Ｔに基づいてギア接線力Ｆ２を算出して特定することが好ましい。トルク値Ｔを用いれば、容易にギア接線力Ｆ２を算出できるからである。
また、軸受回転部は、ギアの回転によりティルティングパッド軸受を回転させることが好ましい。ティルティングパッド軸受を高い精度で確実に回転させることができるからである。
【００１０】
二つ目の形態は、ギア接線力Ｆ２の向きを鉛直方向の下向きに一定にすることで、合力Ｆの作用線とピボットによる軸受パッドの支持点との位置関係を一定にするものである。この形態は、一つ目の形態のように駆動機構を備える必要がないので、ギアド圧縮機の構成を簡易にできるとともに、製作コストを抑えることができる。
【発明の効果】
【００１１】
本発明のギアド圧縮機によれば、荷重Ｆ１とギア接線力Ｆ２との合力Ｆの向きと、ピボットによる軸受パッドの支持点との位置関係が一定であるから、従動軸の不安定な振動を低減できる。
【図面の簡単な説明】
【００１２】
【図１】本発明の第１実施形態に係るギアド圧縮機の概略構成を示す図である。
【図２】第１実施形態に係るギアド圧縮機におけるティルティングパッド軸受の回転動作を示す図である。
【図３】第２実施形態に係るギアド圧縮機の要部の構成を示す図である。
【図４】第２実施形態に係るギアド圧縮機の効果を説明する図である。
【図５】ギアド圧縮機に生じる不具合を説明する図であり、（ａ）は主動軸と従動軸の関係を示し、（ｂ）はティルティングパッド軸受が受け持つ合力Ｆの変化を示す図である。
【発明を実施するための形態】
【００１３】
＜第１実施形態＞
以下、添付図面を参照しながら、本発明の実施形態に係るギアド圧縮機１を説明する。ギアド圧縮機１は、増速ギア機構２を内蔵した遠心式圧縮機である。
第１実施形態は、ギア接線力Ｆ２が変化するのに応じて、ピボット２５による軸受パッド２１の支持点Ｐを移動させることで、合力Ｆの作用線とピボット２５による軸受パッド２１の支持点との位置関係を一定にするものである。ここでいう、位置関係が一定とは、ギアド圧縮機１の運転中に位置関係が変わらないことを意味する。
【００１４】
［増速ギア機構２］
増速ギア機構２は、図示を省略する駆動源、例えば回転電機により回転駆動される主動軸３と、主動軸３と一体となって回転駆動される主動ギア４と、主動ギア４に噛み合い、主動ギア４の回転に伴って増速回転される従動ギア６と、従動ギア６と一体となって回転駆動される従動軸５と、をケーシング１０の内部に備えている。従動ギア６は主動ギア４に比べて十分に小さいギアであり、いわゆるピニオンである。この従動ギア６は、軸受２０により回転可能に支持された従動軸５の長手方向の略中央部に固定されている。本実施形態における軸受２０は、ティルティングパッド軸受から構成され、ケーシング１０に回転可能に支持されるとともに、ギア接線力の向きに応じて正転及び逆転することができる。軸受２０については、さらに後述する。
【００１５】
本実施形態における従動軸５は、その軸方向の両端部に、インペラ８及びインペラ９がそれぞれ取り付けられている。これらインペラ８及びインペラ９は、軸受２０に対して片持ち構造となっている。インペラ８及びインペラ９は、それぞれ従動軸５の回転による遠心力を利用して上流側流路から供給されるガスを圧縮して流す。
【００１６】
ケーシング１０には、上流側流路からガスを流入させる吸込通路１２と、外部へガスを流出させるための排出通路１３とが形成されている。
【００１７】
［軸受２０］
軸受２０は、図２（ａ），（ｂ）に示すように、従動軸５の外周に円周方向に沿って複数個、本実施形態では五つの軸受パッド２１が軸受ハウジング２３に収容されている。それぞれの軸受パッド２１は、その背面がピボット２５により支持されており、ピボット２５による支持点Ｐを中心に各軸受パッド２１が周方向に揺動可能とされるとともに、従動軸５の外周面と軸受パッド２１の潤滑面との間には油膜が形成されることで、潤滑が確保される。従って、軸受パッド２１は、ジャーナル、つまり従動軸５の動きに対して自由に動くことができ、軸受パッド２１を備えたジャーナル軸受である軸受２０は自動調心機能をもつ。そのため、軸受２０は高速回転機械に適用される。
【００１８】
軸受２０は、軸受ハウジング２３の外周には複数の軸受側歯２４が形成されており、軸受ハウジング２３はギアを構成している。軸受２０は、軸受ハウジング２３の軸受側歯２４と噛み合う駆動側歯２７が外周に形成された、軸受回転部としての軸受回転ギア２６と、軸受回転ギア２６を回転駆動させる回転電機２９と、を付随して備えている。軸受回転ギア２６が回転電機２９により回転駆動されると、軸受２０はこの回転にしたがって回転駆動される。回転電機２９は、次に説明する制御部３０の指示に従って回転動作を行う。この回転動作により、軸受２０は、ピボット２５で軸受パッド２１を支持する支持点Ｐの位置を任意に移動させることができる。
【００１９】
［制御部３０］
図１に戻り、ギアド圧縮機１は、回転電機２９を介して軸受回転ギア２６の動作を制御する制御部３０を備える。
制御部３０は、主動軸３の表面に貼り付けられる、当該表面のひずみγを検出するひずみゲージ３１と、ひずみゲージ３１で検出されたひずみγに基づいて軸受回転ギア２６の回転動作を司る演算部３３と、を備える。ひずみゲージ３１と演算部３３は信号線３２で電気的に接続され、また、演算部３３と回転電機２９は信号線３４で電気的に接続されている。なお、ここでは信号線３２、信号線３４を用い、有線で信号の伝送を行うことにしているが、無線により信号を伝送することもできる。
演算部３３は、ひずみゲージ３１で検出されたひずみγに基づいて主動軸３に加えられたトルク値Ｔを算出して求めるとともに、求められたトルク値Ｔに基づいて従動軸５のギア接線力Ｆ２を算出して求める。なお、ひずみγは主動軸３に加えられたトルク値Ｔに比例する。さらに、演算部３３は、従動軸５の自重により軸受２０に加わる荷重Ｆ１に関する情報を保持しており、算出したギア接線力Ｆ２と荷重Ｆ１の合力Ｆを算出する。この合力Ｆは、大きさと向きを含むものである。この一連のギア接線力Ｆ２、合力Ｆの算出は、ギアド圧縮機１の運転中に継続して行われる。
【００２０】
演算部３３は、算出された合力Ｆの向きに応じて、合力Ｆの作用線（Ｆで代替）が所定の軸受パッド２１のピボット２５による支持点Ｐを通るように、軸受回転ギア２６を回転駆動させる。なお、ここでは作用線を力の大きさを示す合力Ｆで代替しているが、よく知られているように作用線は作用点を通り力（合力Ｆ）の方向に引いた直線であるから、合力Ｆを矢印の方向に延長させた線分も作用線に該当する。
例えば、合力Ｆの向きが図２（ａ）から図２（ｂ）に変化し、逆に、図２（ｂ）から図２（ａ）に変化したとしても、合力Ｆの作用線（Ｆ）が、最も下方に位置する特定の軸受パッド２１のピボット２５による支持点Ｐを通るように、軸受回転ギア２６を回転駆動させる。
【００２１】
具体的には、以下の手順で合力Ｆを求める。なお、図５（ａ）に示すように、主動軸３の軸心から従動軸５の従動ギア６のピッチ点までの距離Ｌ、及び、主動ギア４と従動ギア６の圧力角α（図示を省略）は既知とする。
はじめに、ギア接線力Ｆ２は、下記の式（１）により算出される。ただし、トルク値Ｔは、ギアド圧縮機１の運転状態によって変化するために、ギア接線力Ｆ２も変化する。
ギア接線力Ｆ２ ＝ トルク値Ｔ／距離Ｌ … 式（１）
次いで、合力Ｆは下記の式（２）により算出され、その向き（角度β）は下記の式（３）により求められる。
合力Ｆ＝［（Ｆ１＋Ｆ２・ｃｏｓα）２＋（Ｆ２・ｓｉｎα）２］１／２  …  式（２）
ｔａｎβ＝（Ｆ２・ｓｉｎα）／（Ｆ１＋Ｆ２・ｃｏｓα）  …  式（３）
【００２２】
演算部３３は、合力Ｆの向き（角度β）を求めたならば、求められた合力Ｆに応じて、図２（ａ），（ｂ）に示すように、合力Ｆの作用線（Ｆ）が軸受パッド２１のピボット２５による支持点Ｐを通るように、回転電機２９に指令を出して、軸受２０を回転駆動させる。
【００２３】
［ギアド圧縮機１の動作］
次に、ギアド圧縮機１は、上述の構成を備えており、増速ギア機構２を介して従動軸５が回転すると、吸込通路１２に流入したガスがインペラ８及びインペラ９によって圧縮され、その後に、インペラ８及びインペラ９の径方向の外側の排出通路１３を介してケーシング１０の外部に排出される。
このギアド圧縮機１の運転の過程で、ひずみゲージ３１が検出した主動軸３のひずみγを継続して検出し、検出されたひずみγは信号線３２を介して演算部３３に送られる。ひずみγを取得した演算部３３は、上述した手順で算出された合力Ｆの向きを示す作用線（Ｆ）が特定のピボット２５による軸受パッド２１の支持点Ｐを通るままの状態を維持できるように、回転電機２９を動作させる。
【００２４】
［ギアド圧縮機１の効果］
以上説明したように、ギアド圧縮機１は、軸受２０が受け持つ合力Ｆが変化するのに応じて軸受２０を回転させることで、ピボット２５による軸受パッド２１の支持点Ｐを移動させる。これにより、ギア接線力Ｆ２の作用線が常に支持点Ｐを通ることができるので、ティルティングパッド軸受である軸受２０の軸受性能を全運転領域で最高に発揮させることが可能となる。これにより、ギアド圧縮機１は、従動軸５の不安定な振動を低減できる。
ここで、図５（ｂ）に示すように、合力Ｆの向きが変わっても、ピボット２５による軸受パッド２１の支持点Ｐの位置が固定されていれば、合力Ｆの作用線（Ｆ）は当該軸受パッド２１から外れてしまい、従動軸５の不安定な振動の発生が助長される。
【００２５】
以上説明したギアド圧縮機１は、合力Ｆの作用線（Ｆ）とピボット２５による軸受パッド２１の支持点Ｐとの位置関係が一定であることの最も好ましい形態として、作用線（Ｆ）が支持点Ｐを通る状態が一定で変わらない例を示した。しかし、本発明は、作用線（Ｆ）が支持点Ｐを必ずしも通ることを要求するものではなく、軸受２０が所望する軸受性能を発揮できる範囲で、作用線（Ｆ）が支持点Ｐとずれることを許容する。この場合でも、ずれた作用線（Ｆ）と支持点Ｐの位置関係が一定であることを維持できれば、不安定な振動の発生を防止できる。
【００２６】
また、以上説明したギアド圧縮機１は、軸受２０を回転させるのに軸受回転ギア２６を用いたが、軸受２０を所望する位置に回転できるのであれば、その手段は任意である。例えば、軸受回転ギア２６を介することなく回転電機で軸受２０を直接的に回転させることができるし、また、回転電機２９の回転駆動力をタイミングベルトで軸受２０に伝達して回転させることもできる。
【００２７】
＜第２実施形態＞
次に、本発明の第２実施形態に係るギアド圧縮機１００を、図３及び図４を参照して説明する。
第２実施形態に係るギアド圧縮機１００は、図３に示すように、荷重Ｆ１とギア接線力Ｆ２の合力Ｆの向きを一定にする。より具体的には、荷重Ｆ１の向きが鉛直方向の下向きで一定であるから、ギア接線力Ｆ２も荷重Ｆ１と同様に鉛直方向の下向きに揃えることで、合力Ｆの向きも鉛直方向の下向きで一定にしようというものである。
【００２８】
ギア接線力Ｆ２を鉛直方向の下向きにするには、主動軸３と従動軸５の相対的な位置関係を調整することにより実現できる。つまり、ギア接線力Ｆ２は、主動軸３の主動ギア４の歯面と従動軸５の従動ギア６の歯面の共通法線Ｎの方向に働くので、共通法線Ｎが鉛直方向の下向きになるように調整する。この調整をするには、接触角θを考慮する。ここで、接触角θは、主動軸３の中心軸と従動軸５の中心軸を結ぶ線分Ｍと主動軸３の中心軸を通る水平線Ｈとのなす角度である。ギアド圧縮機１を作製する際に、この接触角θを調整することにより、ギア接線力Ｆ２を常に鉛直方向の下向きにできる。そうすれば、合力Ｆも常に鉛直方向の下向きにできるので、ピボット２５による軸受パッド２１の指示点をこれに応じた位置に配置すれば、軸受２０による軸受剛性，減衰比などの性能を安定して得ることができる。特に、好ましくは、合力Ｆの作用線（Ｆ）がピボット２５による軸受パッド２１の支持点Ｐを通ることにより、軸受剛性，減衰比に代表される軸受性能を最大にすることができる。
【００２９】
図４はこれによる効果を示している。
図４（ａ）は、ギア接線力Ｆ２の大きさが変化するのに伴って、合力Ｆの向き及び大きさが変化する様子を二次元座標上に示している。これに対して、第２実施形態によれば、ギア接線力Ｆ２が鉛直方向の下向きであり、これが維持されるので、合力Ｆも鉛直方向の下向きのままである。
したがって、この合力Ｆに対応する位置にピボット２５による軸受パッド２１の支持点Ｐを配置しさえすれば、ギア接線力Ｆ２の変化に関わらず、作用線（Ｆ）と支持点Ｐとの位置関係を一定にすることができる。
【００３０】
第２実施形態においても作用線（Ｆ）が支持点Ｐを通ることが最も好ましいが、第１実施形態と同様に、軸受２０が所望する軸受性能を発揮できる範囲で、作用線（Ｆ）が支持点Ｐとずれることを許容する。このずれは、例えば、支持点Ｐを中心にして±１０°の範囲であれば、十分に許容される。
【００３１】
上記以外にも、本発明の主旨を逸脱しない限り、上記実施形態で挙げた構成を取捨選択したり、他の構成に適宜変更したりすることが可能である。
例えば、以上で示した増速ギア機構２も含めたギアド圧縮機１の構成はあくまで一例であり、例えば、従動軸５が単一の例を示したが、複数の従動軸を備えることもできる。
【符号の説明】
【００３２】
１      遠心式圧縮機
２      増速ギア機構
３      主動軸
４      主動ギア
５      従動軸
６      従動ギア
８，９  インペラ
１０    ケーシング
１２    吸込通路
１３    排出通路
２０    軸受
２１    軸受パッド
２３    軸受ハウジング
２４    軸受側歯
２５    ピボット
２６    軸受回転ギア
２７    駆動側歯
２９    回転電機
３０    制御部
３１    ひずみゲージ
３２，３４    信号線
３３    演算部
【図１】
2017137768.tif 000003
【図２】
2017137768.tif 000004
【図３】
2017137768.tif 000005
【図４】
2017137768.tif 000006
【図５】
2017137768.tif 000007